(57)【要約】【課題】  本発明は、低コストで管理が容易な、しかも殺菌効果の高い養液殺菌方法の確立と、当該方法を使用した植物の養液栽培における殺菌装置および養液栽培方法を提供することであり、養液を殺菌するとともに、うどんこ病など病害罹患に対する抵抗性を植物に付与することができるケイ酸イオンを連続的に供給する方法を提供することである。【解決手段】  酸化物換算の質量比で、ＳｉＯ2が１５〜６０％、Ｋ2Ｏが１０〜４０％およびＡｇ2Ｏが０．１〜５％に、Ｐ2Ｏ5が１０〜５０％および／またはＢ2Ｏ3が５〜５０％を含有する溶解性ガラスからなる養液殺菌剤により上記課題を解決できることを見出した。また、この溶解性ガラスにＭｇＯが１５％以下、ＣａＯが３５％以下、ＭｎＯ2が２％以下、Ｆｅ2Ｏ3が３％以下、ＣｕＯが１％以下、ＺｎＯが１％以下、および／またはＭｏＯ3が１％以下を含有する養液殺菌剤である。【選択図】  なし【特許請求の範囲】
【請求項１】
酸化物換算の質量比で、ＳｉＯ2が１５〜６０％、Ｋ2Ｏが１０〜４０％およびＡｇ2Ｏが０．１〜５％に、Ｐ2Ｏ5が１０〜５０％および／またはＢ2Ｏ3が５〜５０％を含有する溶解性ガラスからなる養液栽培における養液殺菌剤。
【請求項２】
請求項１記載の溶解性ガラスにＭｇＯが１５％以下、ＣａＯが３５％以下、ＭｎＯ2が２％以下、Ｆｅ2Ｏ3が３％以下、ＣｕＯが１％以下、ＺｎＯが１％以下、および／またはＭｏＯ3が１％以下を含有する養液栽培における養液殺菌剤。
【請求項３】
請求項１または請求項２に記載の養液殺菌剤を使用する養液栽培装置。
【発明の詳細な説明】
【技術分野】
【０００１】
本発明は、植物の養液栽培に関し、当該養液の殺菌および肥料に係わるものである。
【背景技術】
【０００２】
植物の養液栽培は、土壌を使用せずに植物に必要な栄養成分を含む水溶液、すなわち養液を用いて作物を栽培する方法である。土壌栽培に比較して、成育が早い、収穫量が高い、および作物のバラツキが少ないといった利点がある。これまでの養液栽培は一度使用した養液をそのまま排出する所謂かけ流しという方法が主流であったが、排養液中に含まれる窒素分などの栄養分による河川や湖沼の富栄養化の問題から、養液を再使用する循環式養液栽培への変更が求められている。
【０００３】
循環式養液栽培は、土壌伝染性の病害による汚染の機会は少ないが、その反面、土壌とは異なり、病原菌に対する拮抗菌も存在しないため、栽培ベッドや培養液循環系に一旦病原菌が混入すると養液の循環とともに被害は非常に大きいものとなる。
【０００４】
一般に、養液中の病原菌は胞子、菌糸、遊走子の形で液中を伝播し、栽培中の植物の根から侵入し、根腐れ病などを引き起こす。特に、ピシウム菌、リゾクトニア菌、フザリウム菌などによる立ち枯れ病、萎凋病などは、ほとんどの作物が被害の対象となる。
そこで、養液の殺菌が求められ、農薬、紫外線、オゾン、加熱、ろ過、殺菌金属イオンなどによる殺菌や除菌が検討されている。
【０００５】
養液の殺菌に農薬を使用すると、残留農薬による人体に対する影響が懸念されるため好ましくない。また養液の殺菌に紫外線だけでは十分な効果が得られ難く、オゾンの場合は、オゾン発生装置などの維持管理が煩雑で、装置が高価であるなどの問題がある。養液の加熱による殺菌は、大量の養液を処理しなければならないため、コストと時間がかかる問題がある。養液の砂ろ過による方法は、ろ過機に住み着く拮抗微生物により発病が抑制されると考えられているが，これは制御したものではないため、方法が確立されていない。
【０００６】
新しい殺菌方法として銀イオンなどを添加する下記のような方法も提案されている。
抗菌性能をもつイオンを溶出する銀、銅、亜鉛およびそれらの金属化合物の少なくとも１つを抗菌イオン源とし、この抗菌イオン源を吸着担持する炭酸カルシウム、リン酸カルシウム、セラミックス材からなる担持体と、単結晶テトラポット状の三次元構造の酸化亜鉛ウイスカの三者を主体として配合した抗菌・防錆兼用剤を設置または混入した水耕栽培装置が報告されている（例えば、特許文献１参照）。
塩化錫などで処理した繊維品またはポリウレタンフォームを硝酸銀水溶液に浸漬して得た抗かび性および抗菌性付与材料を用いる水耕栽培における抗かび性および抗菌性付与材料が報告されている（例えば、特許文献２参照）。
銀添着活性炭を用いる循環式養液栽培装置用の殺菌装置が報告されている（例えば、特許文献３参照）。
銀ゼオライトを用いた養液栽培におけるピシウム根腐病の防除効果が報告されている（例えば、非特許文献１参照。）。
これらは効果が認められるものの、抗菌イオンの担持体を頻繁に交換してやる必要があり、管理が煩雑である。
【０００７】
○抗菌ガラス
銀イオンを含有する粒径が５０μｍ以下の溶解性ガラス粉末を樹脂繊維素材中に練り込んだものが報告されている（例えば、特許文献４参照）。これは、繊維に抗菌性を付与するもので、養液栽培について開示も示唆もない。
Ａｇ2Ｏを０．２〜５重量％、ＺｎＯを１〜５０重量％、Ｐ2Ｏ5を３０〜８０重量％、ＣａＯを１〜２０重量％、ＣｅＯ2を０．１〜５重量％含有する溶解性ガラスが報告されている（例えば、特許文献５参照）。
また、Ｂ2Ｏ3を２０〜５０重量％、ＺｎＯを５０〜８０重量％、アルカリ土類金属酸化物を１０重量％以下、Ａｇ2Ｏを２重量％含有する溶解性ガラスが報告されている（例えば、特許文献６参照）。
また、ＺｎＯを５０〜７０モル％、Ｂ2Ｏ3および／またはＰ2Ｏ5を２０〜５０モル％、Ａｌ2Ｏ3およびＺｒＯ2より選ばれる少なくとも１種以上を０．５〜１５モル％、アルカリ金属酸化物（Ｎａ2Ｏ）を５〜１０モル％およびＳｉＯ2を０〜２０モル％含有するものが報告されている（例えば、特許文献７参照）。
これらのものは、溶解性ガラスすなわち抗菌ガラスの配合組成のものであり、養液栽培について開示も示唆もない。
【０００８】
Ｐ2Ｏ5：２０．４ｗｔ％、ＭｇＯ：１５．７ｗｔ％、ＣａＯ：３０．０ｗｔ％、ＳｉＯ2：２６．３ｗｔ％の組成を有する溶成燐肥１００重量部に酸化銀（Ａｇ2Ｏ）、酸化銅（ＣｕＯ）をそれぞれ所定量配合し、アルミナツボに入れて１４００℃、１０分間溶融後、融液を水中に流し込んで急冷した枸溶性ガラス粉末が報告されている（例えば、特許文献８参照）。そして、これの用途として土壌改良、農作物、芝生、植木、園芸用品の病害の予防又は抵抗性を付与するために散布することが記載されている。
【０００９】
稲は好ケイ酸植物であり、水稲に吸収されたケイ酸は稲体を強剛にする効果は古くからよく知られている。近年イチゴなどの野菜においてケイ酸イオンがうどんこ病などに感染しにくくなる効果があることが報告されている（例えば非特許文献２、非特許文献３参照）。
養液栽培においてケイ酸を含む肥料は知られていない（例えば非特許文献４参照）。
【００１０】
○先行文献
【特許文献１】特開平５−０９５７３９号公報（特許請求の範囲）
【特許文献２】特開平７−２０３７８７号公報（特許請求の範囲）
【特許文献３】特開平９−３１３０５５号公報（特許請求の範囲）
【特許文献４】特開平３−１２４８１０号公報（特許請求の範囲）
【特許文献５】特開２０００−１９１３３９号公報（特許請求の範囲）
【特許文献６】特開２０００−２８１３８０号公報（特許請求の範囲）
【特許文献７】特開２００１−０２６４３８号公報（特許請求の範囲）
【特許文献８】特開平０７−２０６５６６号公報（特許請求の範囲、実施例）
【非特許文献１】草刈  眞一，外５名，「銀ゼオライトによる養液栽培におけるPythium根腐病の防除効果」，日本防菌防黴学会第２９回年次大会，２００２年５月３０日，Ｂ−２５
【非特許文献２】「ケイ酸カリウム水溶液施用によるイチゴうどんこ病の発生抑制技術」，ひょうごの農業技術，Ｎｏ．１１０，２０００年７月
【非特許文献３】「イチゴうどんこ病抑制に有効なケイ酸カリ資材とその効果」，ひょうごの農業技術，Ｎｏ．１１６，２００１年７月
【非特許文献４】大塚化学株式会社ホームページ、大塚ハウス肥料シリーズ＜ＵＲＬ：http://www.tok.otsukac.co.jp/otsukac/agro/catalog_hiryo/index_h.html＞
【発明の開示】
【発明が解決しようとする課題】
【００１１】
本発明は、低コストで管理が容易な、しかも殺菌効果の高い養液殺菌方法の確立と、当該方法を使用した植物の養液栽培における殺菌装置および養液栽培方法を提供することであり、養液を殺菌するとともに、うどんこ病など病害罹患に対する抵抗性を植物に付与することができるケイ酸イオンを連続的に供給する方法を提供することである。
【課題を解決するための手段】
【００１２】
本発明者は、鋭意検討した結果、酸化物換算の質量比で、ＳｉＯ2が１５〜６０％、Ｋ2Ｏが１０〜４０％およびＡｇ2Ｏが０．１〜５％に、Ｐ2Ｏ5が１０〜５０％および／またはＢ2Ｏ3が５〜５０％を含有する溶解性ガラスからなる養液栽培における養液殺菌剤により上記課題を解決できることを見出した。また、この溶解性ガラスにＭｇＯが１５％以下、ＣａＯが３５％以下、ＭｎＯ2が２％以下、Ｆｅ2Ｏ3が３％以下、ＣｕＯが１％以下、ＺｎＯが１％以下、および／またはＭｏＯ3が１％以下を含有する養液栽培における養液殺菌剤である。また、この養液殺菌剤を肥料として使用するものである。
養液殺菌剤を使用する養液栽培装置であり、これを使用する養液栽培方法である。
【発明を実施するための最良の形態】
【００１３】
以下、本発明について詳細に説明する。
【００１４】
○溶解性ガラス
本発明の養液殺菌剤に用いる溶解性ガラスは、抗菌性を有する金属を養液中に溶出できるものであり、当該抗菌性を有する金属としては、銀が挙げられる。
【００１５】
当該溶解性ガラスは、銀イオンとケイ酸イオンとを養液中に溶出しうるものであればいずれでもよく、ガラスの種類は限定されない。
水溶解性があり、抗菌金属イオンの溶解速度を調整しやすい当該溶解性ガラスに用いることができるガラスとしては、リンケイ酸ガラス、ホウケイ酸ガラスなどが挙げられる。また、溶解性があり、ケイ酸イオンの溶解速度を調整しやすい当該溶解性ガラスに用いることができるガラスとしては、リンケイ酸ガラス、ホウケイ酸ガラスなどが挙げられる。当該溶解性ガラスからの抗菌性金属イオン並びに抗菌性金属イオンおよびケイ酸イオンの溶出速度は、抗菌性金属の含有量、シリカの含有量、ガラス形成成分の含有量や組成、ガラス修飾成分の含有量や組成、さらにその他の成分の含有量や組成によって調整することができる。本発明の養液殺菌剤は、常に植物栽培用の養液と接触していることから鉢物などの園芸栽培用と異なる抗菌金属イオンの溶出条件または抗菌金属イオンとケイ酸イオンの溶出条件に調節している。
【００１６】
当該溶解性ガラスは例えば、ＳｉＯ2を１５〜６０質量％、Ｂ2Ｏ3を５〜５０質量％、Ｋ2Ｏを１０〜４０質量％、ＭｇＯを０〜１５質量％、ＣａＯを０〜３５質量％、ＭｎＯ2を０〜２質量％、Ｆｅ2Ｏ3を０〜３質量％、ＣｕＯを０〜１質量％、ＺｎＯを０〜１質量％、ＭｏＯ3を０〜１質量％、Ａｇ2Ｏを０．１〜５質量％含有する溶解性ガラス、ＳｉＯ2を１５〜６０質量％、Ｐ2Ｏ5を１０〜５０質量％、Ｋ2Ｏを１０〜４０質量％、ＭｇＯを０〜１５質量％、ＣａＯを０〜３５質量％、ＭｎＯ2を０〜２質量％、Ｆｅ2Ｏ3を０〜３質量％、ＣｕＯを０〜１質量％、ＺｎＯを０〜１質量％、ＭｏＯ3を０〜１質量％、Ａｇ2Ｏを０．１〜５質量％含有する溶解性ガラス、ＳｉＯ2を１５〜６０質量％、Ｂ2Ｏ3を５〜５０質量％、Ｐ2Ｏ5を１０〜５０質量％、Ｋ2Ｏを１０〜４０質量％、ＭｇＯを０〜１５質量％、ＣａＯを０〜３５質量％、ＭｎＯ2を０〜２質量％、Ｆｅ2Ｏ3を０〜３質量％、ＣｕＯを０〜１質量％、ＺｎＯを０〜１質量％、ＭｏＯ3を０〜１質量％、Ａｇ2Ｏを０．１〜５質量％含有する溶解性ガラス、ＳｉＯ2を１５〜５０質量％、Ｐ2Ｏ5を２５〜５０質量％、Ｋ2Ｏを１０〜４０質量％、ＭｇＯを０〜１５質量％、ＣａＯを０〜３５質量％、ＭｎＯ2を０〜２質量％、Ｆｅ2Ｏ3を０〜３質量％、ＣｕＯを０〜１質量％、ＺｎＯを０〜１質量％、ＭｏＯ3を０〜１質量％、Ａｇ2Ｏを０．１〜５質量％含有する溶解性ガラスなどが挙げられる。
【００１７】
更に好ましくは、ＳｉＯ2を１５〜６０質量％、Ｂ2Ｏ3を５〜５０質量％、Ｋ2Ｏを１０〜４０質量％、ＭｇＯを０〜１５質量％、ＣａＯを０〜３５質量％、ＭｎＯ2を０〜２質量％、Ｆｅ2Ｏ3を０〜３質量％、ＣｕＯを０〜１質量％、ＺｎＯを０〜１質量％、ＭｏＯ3を０〜１質量％、Ａｇ2Ｏを０．１〜５質量％含有する溶解性ガラス、ＳｉＯ2を１５〜６０質量％、Ｐ2Ｏ5を１０〜５０質量％、Ｋ2Ｏを１０〜４０質量％、ＭｇＯを０〜１５質量％、ＣａＯを０〜３５質量％、ＭｎＯ2を０〜２質量％、Ｆｅ2Ｏ3を０〜３質量％、ＣｕＯを０〜１質量％、ＺｎＯを０〜１質量％、ＭｏＯ3を０〜１質量％、Ａｇ2Ｏを０．１〜５質量％含有する溶解性ガラスである。
【００１８】
本発明に用いる溶解性ガラスは、酸化物、水酸化物、ホウ酸塩、リン酸塩、塩化物、硝酸塩、硫酸塩、炭酸塩等、必要成分を含有している化合物を所定の混合量になるようによく混合した後、加熱溶融し、急冷、破砕、分級することにより得ることができる。
【００１９】
溶解性ガラスからの銀イオンやケイ酸イオンの溶出速度は、ガラスの溶解速度を調整することにより可能である。すなわち、ガラス組成中のホウ酸（Ｂ2Ｏ3）、リン酸（Ｐ2Ｏ5）、アルカリ金属イオン、あるいはアルカリ土類金属イオン含有量を上げることにより溶解速度を大きくすることができることから、養液への銀イオンやケイ酸イオンの溶出速度をコントロールすることができる。
【００２０】
上記溶解性ガラスは、分級することで養液栽培に最適な粒子径を得ることができる。また、ガラス製造時に、任意の粒径の球状とすることができる。この球状のガラス（ガラスビーズ）は通常の方法で得ることができる。例えば、溶融したガラスを液滴として滴下させ、球状に固化させる方法や、ガラス原料のスラリーを火焔中に噴霧し、溶融、固化させる方法などがある。
さらに粉末状のガラスを粒状に成形することもできる。
粒状抗菌剤の作りかたは特に限定されず、粒状セラミックなどの表面に担持させる方法、バインダーなどを用いて粒状品に成形する方法などが挙げられる。
【００２１】
ここで粒状セラミックとは、天然あるいは人工的に作製された無機質固体材料、および粒状のガラスを指す。すなわち、世間一般で言われているセラミックス、窯業製品、ガラス、砂、小石などを指す。例えば、シリカ、アルミナ、ジルコニア、ムライト、ガラスのビーズ、あるいはボールなどが挙げられる。形状は球状、円柱状、円盤状、立方体状、直方体状、さらには、不定形状のものなど特に限定されない。
【００２２】
微粉末の溶解性ガラスを、粒状セラミックなどの表面に担持させる方法として、粒状セラミック表面に溶解性ガラスの原料粉末あるいは原料スラリーを付着させ、加熱することに担持させることができる。
【００２３】
また、結合剤として、ポリテトラフルオロエチレン、ポリフッ化ビニリデン、ポリ塩化ビニル、ポリアクリル酸エステル、エポキシ樹脂、ポリエチレン、ポリプロピレン、ＡＢＳ樹脂、ポリエステルなどを用いて、粒状セラミック表面に付着させた後、熱可塑性樹脂であれば軟化点以上に加熱することにより、熱硬化性樹脂であれば硬化温度温度以上に加熱することにより、ＵＶ硬化樹脂であればＵＶ照射により硬化させることで、粒状セラミック表面に担持させればよい。
【００２４】
粒状化の別の方法として、担持体を用いず、成形用バインダーを用いて粒状化させる方法もある。例えば、シリカゲルを用いる方法がある。シリカゲルは、物理的強度は粒状セラミックなどに担持させたものより低いものの、非常にポーラスな材料であるため、微粉末の溶解性ガラスと養液との接触効率が高く、殺菌効果も高い利点がある。
【００２５】
用いるシリカゲルについては特に限定がない。一般に言われるＡ型、Ｂ型、ＩＤ型などいずれでもよい。シリカゲルへの担持方法として、通常シリカゲルに無機化合物を担持する方法はいずれも適用することができる。例えば、ケイ酸ソーダ水溶液に微粉末の溶解性ガラスを添加した後、硫酸または塩酸を添加してケイ酸コロイド溶液を調製し、これを水中に滴下することにより粒状品が得られる。得られた粒状品は、水を多量に含んだいわゆるハイドロゲルである。これをそのまま用いることも出来るが、耐水性を向上させるためには、これを１００〜３００℃程度で乾燥させたほうが好ましい。ケイ酸ソーダ水溶液ではなく、硫酸または塩酸に微粉末の溶解性ガラスを添加しておき、ケイ酸ソーダ水溶液を添加して粒状品を得ることもできる。さらにケイ酸コロイド溶液が生成した直後に微粉末の溶解性ガラスを添加しても良い。
【００２６】
その他に、結合剤として、ポリテトラフルオロエチレン、ポリフッ化ビニリデン、ポリ塩化ビニル、ポリアクリル酸エステル、エポキシ樹脂、ポリエチレン、ポリプロピレン、ＡＢＳ樹脂、ポリエステルなどを用いて、押し出し造粒機、または押し出し機などで押し出した後、カッティングし、整粒により粒状品を成形することも出来る。
【００２７】
養液栽培に用いる溶解性ガラスの大きさは特に限定はないが、カラムやろ過塔などに充填して使用する場合は、粉末よりも粒状品のほうが好ましい。
カラムやろ過塔に充填して使用する溶解性ガラスの粒径は、０．０５ｍｍ程度以上が好ましく、更に好ましくは粒径１ｍｍ以上である。一方、粒径が大きすぎると表面積が小さくなるため、実質的には粒径２０ｍｍ程度以下であることが好ましく、更に好ましくは１５ｍｍ以下である。即ち、粒状抗菌剤の大きさは、０．０５〜２０ｍｍが好ましく、０．１〜１５ｍｍが更に好ましく、１〜１５ｍｍが特に好ましい。なお、微粉末の溶解性ガラスとは、粒径が０．０５ｍｍ未満のものをいうが、使い方によっては、微粉末の溶解性ガラスをそのまま使用することもできる。
【００２８】
○養液栽培方法
図１に、一般的な循環式養液栽培装置の構成を示した。混合タンク５において、排液タンク４からの戻り養液と養液原液タンク３からの養液原液を混合し、栽培ベッド１に養液を送液する。なお、図１では栽培ベッドを２カ所しか表示していないが、実際の装置または栽培方法においては、栽培規模に応じて栽培ベッドをさらに設置することができる。本発明の溶解性ガラスは、このような例示した養液栽培装置に組み込むことができる。例えば、網籠、メッシュ袋などに溶解性ガラスを充填し排液タンク内や混合タンク内に設置する方法、ろ過塔やカラムに溶解性ガラスを充填し、栽培ベッドと排液タンクの間の配管、排液タンクと混合タンクの間の配管、あるいは混合タンクと栽培ベッドの間の配管に組み込む方法などがある。
また、養液栽培装置のいずれかの配管あるいはタンクから、養液の一部をバイパスにより抜き出して、溶解性ガラスを充填したカートリッジ、充填塔またはカラムなどに流して処理し、再び系内に戻す方法でもよい。さらに、砂ろ過などのろ過装置を系内に設け、ろ材の中に溶解性ガラスを交ぜ込む、あるいは溶解性ガラスの層を砂ろか層の前か後ろに組み込む方法もある。
本発明の溶解性ガラスは、養液の殺菌剤として少なくとも一ヶ所以上に養液栽培装置に組み込むことができ、少なくとも２ヶ所以上に養液栽培装置に組み込むことが好ましい。なお、この養液栽培は、かけ流しであっても循環式であってもよく、好ましくは、循環式である。
本発明において、オゾンや紫外線などによる殺菌装置を併用してもよい。
【００２９】
抗菌金属、ケイ酸イオンの養液中への溶出濃度は、養液栽培の条件によって異なるが、おおよそ銀イオンであれば２０ｐｐｂ以上に調節すれば良い。また、ケイ酸イオン濃度は、養液中１ｐｐｍ以上に、好ましくは１０ｐｐｍ以上になるように調節すれば良い。但し、これらの濃度が高くなり過ぎるものは、ランニングにおける溶解性ガラスの交換頻度が多くなり、コストおよびメンテナンスが悪くなり好ましくない。また、植物に対して障害が出る場合がある。
当該溶解性ガラスから溶出するリンなどを肥料として用いることもできる。
養液栽培装置中の当該溶解性ガラスの交換時期は、養液中の抗菌金属イオンをモニターして決定してもよく、当該溶解性ガラスの嵩から決めてもよく、交換時期を決めておいて行ってもよい。
【００３０】
養液殺菌剤は、かけ流し栽培にも循環式養液栽培にも用いることもでき、好ましくは病原菌の管理を厳しく行う必要がある循環式養液栽培に用いるものことが好ましい。これらの養液殺菌剤は、使用条件によるが土壌を用いる栽培にも用いることが可能である。なお、これらの養液殺菌剤は、例えば溶出する各種イオンのコントロールが容易であることから土壌での栽培より養液栽培に用いることが好ましい。
【００３１】
＜実施例＞
以下、本発明を実施例により更に詳細に説明する。なお、部は質量部を示す。
【００３２】
＜製造例１＞
表１に示した組成（各質量部）を良く混合して調製した調合物を１０００〜１４００℃で溶融してガラスを作製後、得られたガラスを破砕、分級して粒径約１ｍｍ〜５ｍｍの溶解性ガラスを得た（試料イ〜ホ）。
【００３３】
【表１】
2005314292.tif 000002
【００３４】
【表２】
2005314292.tif 000003
【実施例１】
【００３５】
製造例１で作製した溶解性ガラス（試料ハ）と銀ゼオライトにおける養液への銀イオンの溶出を調べた。即ち、
１）大塚ハウス肥料１号（大塚化学(株)製）１５０ｇを水道水１，０００ｍＬに溶解させる（１００倍原液）。
２）大塚ハウス肥料２号（大塚化学(株)製）１００ｇを水道水１，０００ｍＬに溶解させる（１００倍原液）。
３）大塚ハウス肥料１号及び２号の１００倍原液を各３０ｍＬと水道水２，９４０ｍＬを混合し、試験養液とした（大塚ハウス肥料シリーズＡ処方）。
４）室温で試験養液３，０００ｍＬに、メッシュ袋に３ｇの試料ハまたは３ｇの銀ゼオライトを入れて糸で吊下げ浸漬させた。
５）室温でゆっくり２１日間攪拌した。
そして所定時間毎にサンプリングし、銀イオン濃度をＩＣＰ発光分光分析計を用いて測定した。
６）７日経過後、試験養液を新しいものの入れ替え、同様の試験を行なう。
７）さらに７日後、同様に行なう。
このようにして得た各サンプル中の銀イオン濃度（ｍｇ／Ｌ）を表３に示す。
【００３６】
【表３】
2005314292.tif 000004
【００３７】
表３から分かるように銀ゼオライトから養液中への銀イオンの溶出は、溶解性ガラスに比べ立ち上がりが早いが、長期間溶出し続けることはできない。これに比べ溶解性ガラスから養液への銀イオンの溶出は、立ち上がりが銀ゼオライトに比べ小さいが長期間必要な濃度の銀イオンを溶出し続けることができる。
このことから、溶解性ガラスは養液栽培の装置に組込んで長期間使用することができ、且つ装置や薬液などのメンテナンスも軽減できるものである。
【００３８】
＜実施例２〜６＞
１０Ｌの養液原液タンク２基、５０Ｌの混合タンク１基、５０Ｌの排液タンク１基、幅２０ｃｍ、深さ２０ｃｍ、長さ２００ｃｍの栽培ベッド（ベッドはロックウール）２基、および循環ポンプを備えた養液栽培装置を作製した。この概念図を図１に示した。栽培ベッドには、トマト１０株を移植し、１日あたり２０Ｌの養液（大塚ハウス肥料シリーズＡ処方）を断続的に循環させた。排液は１日に１回、混合タンクに戻した。減少した養液は新規に作製し、１日に１回追加した。
養液には、Pythium aphanidermatum を接種した。養液栽培装置には、表４に示したように溶解性ガラス（試料イ〜ホ）を組み込んだ。
試験を開始し８週間後のトマトの状況を観察した。
【００３９】
【表４】
2005314292.tif 000005
【００４０】
＜実施例７〜８＞
１０Ｌの養液原液タンク２基、５０Ｌの混合タンク１基、５０Ｌの排液タンク１基、幅２０ｃｍ、深さ２０ｃｍ、長さ２００ｃｍの栽培ベッド（ベッドはロックウール）２基、および循環ポンプを備えた養液栽培装置を作製した。この概念図を図１に示した。栽培ベッドには、トマト１０株を移植し、１日あたり２０Ｌの養液（大塚ハウス肥料シリーズＡ処方）を断続的に循環させた。排液は１日に１回、混合タンクに戻した。減少した養液は新規に作製し、１日に１回追加した。養液栽培装置には、表５に示したように溶解性ガラス（試料イ、ハ）を組み込んだ。試験を開始し８週間後のトマトの状況を観察した。
【００４１】
【表５】
2005314292.tif 000006
【００４２】
溶解性ガラスを用いることにより、栽培植物の循環式養液栽培における病害感染を防止できる。また、うどんこ病などの病害に感染しにくくなる。溶解性ガラスを養液とどの時点で接触させても病害感染の防止効力に差が認められなかったことから、循環式養液栽培に本発明の方法を組み込むことは、容易である。即ち、循環式養液栽培の設置場所およびメンテナンスなどの面を考慮して、いずれの場所にも行えることが明らかであり、また既存の循環式養液栽培装置に組み込むことも容易である。
【産業上の利用可能性】
【００４３】
本発明の養液殺菌剤を循環式養液栽培に用いることにより、養液栽培装置中を循環している養液に混入した病原菌による栽培植物の病害感染を阻止することができる。また、うどんこ病などの病害に感染しにくくなる。このことから、長期間養液栽培を続けることができる。また、本発明の栽培方法は、環境への負荷も少なくすることができる。
【図面の簡単な説明】
【００４４】
【図１】代表的な循環式養液栽培装置の図
【符号の説明】
【００４５】
１  栽培ベッド
２  ポンプ
３  養液原液タンク
４  排液タンク
５  混合タンク
６  給水
７  排水
←  養液の流れる方向
【図１】
2005314292.tif 000007